(57)【特許請求の範囲】
【請求項１】
キャップ付き壜体(13)を複数個集結保持する、熱成形された合成樹脂シート製の集結パック(1) であって、少なくとも前記壜体(13)に組付いたキャップ(18)に外嵌組付きする大きさを有し、内周面下端開口縁に、前記キャップ(18)の下端縁もしくは壜体(13)のネックリング(15)の下面に、乗り越えて下方から係止する係止条(3) を突設して有頂円筒形状に成形された、複数の保持カバー筒部(2) を一体に配列形成して成る壜体用集結パック。
【請求項２】
複数の保持カバー筒部(2) を配列連結する連結壁部(4) の周端縁部に略矩形状の切り込み線(7) を設けて把手片(6) を立ち上がり可能に形成し、該把手片(6) の基端を、中央の前記保持カバー筒部(2) の両隣の保持カバー筒部(2) との間に対応して位置させた請求項１記載の壜体用集結パック。
【請求項３】
複数の保持カバー筒部(2) を配列連結する連結壁部(4) に、補強リブとして機能する補強凹凸(5) を設けた請求項１または２記載の壜体用集結パック。
【請求項４】
集結パック(1) の保持カバー筒部(2) と同数、同一配列で、壜体(13)の底部(17)に外嵌組付きする嵌め込み凹部(9) を設け、該嵌め込み凹部(9) の周壁(10)の内周面に、前記壜体(13)の胴部(14)下端に周設された下端周溝(17)に係止する係止突条(11)を突設した、熱成形された合成樹脂シート製の底トレー(8) と組合せた請求項１または２または３記載の壜体用集結パック。
【発明の詳細な説明】
【０００１】
【発明の属する技術分野】
本発明は、キャップで密封した複数の壜体を、並列に一まとめに集結して、一つの物品として取り扱うことができるようにした壜体用集結パックに関するものである。
【０００２】
【従来の技術】
複数の壜体を並列に一まとめに集結して、一つの物品として取り扱うことができるようにしたものとして、実開平６−６７３６５号公報に開示された集合トレー（集結パック）がある。
【０００３】
この従来技術は、キャップ付き壜体を複数個連結し、持ち運びまたは店頭に積み重ね陳列するためのパックにおいて、キャップ形状に類似した凸起部を有し、かつ凸起部中央に壜体のキャップが通り抜く事のできる直径の穴を有し、かつ穴周辺部より放射線状に数カ所の切り込みを有する構成となっており、凸起部の淵縁部を壜体のキャップ部のくびれに係止させて、パックと壜体との結合を達成維持する構成となっている。
【０００４】
【発明が解決しようとする課題】
しかしながら、上記した従来技術にあっては、パックと壜体との機械的な結合が、壜体のキャップ部のくびれと、弾性変位する凸起部の淵縁部との係止で達成保持しているだけであるので、パックと壜体との結合強度が必ずしも充分ではなく、取扱い中にパックから壜体が不正に離脱する事故が発生することがある、と云う問題があった。
【０００５】
また、壜体のキャップ部のくびれとパックの凸起部の淵縁部との係止は、略線接触状に達成されるので、結合した状態で壜体がパックに対して、パックとの係止箇所、すなわちキャップ部のくびれを支点として揺動変位し易く、このためパックに対する壜体の結合姿勢が不安定となると共に、壜体の不要な揺動により、壜体がパックから離脱し易くなる、と云う問題があった。
【０００６】
そこで、本発明は、上記した従来技術における問題点を解消すべく創案されたもので、パックに対する壜体の係止組付きを、パックに対して壜体が揺動変位不能な状態で達成されるようにすることを技術的課題とし、もってパックの壜体に対する係止を、パックと壜体との組付き保持に、確実にかつ効果的に作用させると共に、パックと壜体との係止組付きを安定して維持すべく作用させるようにする、ことを目的とする。
【０００７】
【課題を解決するための手段】
上記技術的課題を解決する本発明の内、請求項１記載の発明の手段は、
キャップ付き壜体を複数個集結保持する、熱成形された合成樹脂シート製の集結パックであること、
少なくとも壜体に組付いたキャップに外嵌組付きする大きさを有し、内周面下端開口縁に、キャップの下端縁もしくは壜体のネックリングの下面に、乗り越えて下方から係止する係止条を突設して有頂円筒形状に成形された、複数の保持カバー筒部を一体に配列形成したこと、
にある。
【０００８】
集結パックの各保持カバー筒部は、少なくともキャップ全体を覆って、キャップ付き壜体に被嵌状に組付き、その係止条をキャップの下端面もしくは壜体のネックリングに下方から係止させるので、壜体に組付いたキャップ、もしくはキャップを組付けたネックリングを有する壜体の口筒部に対して、不動に組付くことになる。
【０００９】
キャップ付き壜体に対する保持カバー筒部の不動な組付きを、抜け出し不能に保持する係止条は、合成樹脂製シートを突条状に小さな曲率半径で湾曲突出成形したものであるので、それ単体の剛性は大きく、このため係止条自体が局部的に弾性変形して、集結パックと壜体との結合が不正に解除されると云う不都合の発生する恐れはない。
【００１０】
また、このように係止条単体の剛性が大きく、かつ保持カバー筒部が少なくともキャップに不動に外嵌しているので、係止条のキャップもしくはネックリングに対する係止は強力で安定したものとなり、これにより集合パックと壜体との結合は、強力に達成維持される。
【００１１】
請求項２記載の発明は、請求項１記載の発明に、複数の保持カバー筒部を配列連結する連結壁部の周端縁部に略矩形状の切り込み線を設けて把手片を立ち上がり可能に形成し、この把手片の基端を、中央の保持カバー筒部の両隣の保持カバー筒部との間に対応して位置させた、ことを加えたものである。
【００１２】
この請求項２記載の発明にあっては、集結パックに把手片を切り起こし状に一体成形したので、必要時にこの把手片を引き起こして、集結パックとキャップ付き壜体との組合せ物を、吊り下げ状に持ち運び取扱いすることができ、集結パックとキャップ付き壜体との組合せ物の取扱いが簡単となる。
【００１３】
また、把手片の基端が、中央の保持カバー筒部の両側箇所に対応して位置するので、把手片を持って集結パックとキャップ付き壜体との組合せ物を吊り下げ状に持ち上げると、中央の保持カバー筒部の両隣の保持カバー筒部に保持されたキャップ付き壜体は、その底部側を中央の壜体に近づける方向に傾斜するので、集結パックで結合させた複数の壜体は、まとまりの良い状態となり、安定して吊り下げ取扱いを行うことができる。
【００１４】
請求項３記載の発明は、請求項１記載の発明に、複数の保持カバー筒部を配列連結する連結壁部に、補強リブとして機能する補強凹凸を設けた、ことを加えたものである。
【００１５】
この請求項３記載の発明にあっては、壜体の太さに対応した間隔で分散配置される各保持カバー筒部間を連結する連結壁部を、補強凹凸を設けることにより補強するので、集結パック単体を安定した状態で取り扱うことのできる程度の自己形状保持力を発揮させることができ、これにより整列された所望数のキャップ付き壜体に対する集結パックの組付けを、簡単にまた必要に応じて自動的に行うことが可能となる。
【００１６】
請求項４記載の発明は、請求項１記載の発明に、集結パックの保持カバー筒部と同数、同一配列で、壜体の底部に外嵌組付きする嵌め込み凹部を設け、この嵌め込み凹部の周壁の内周面に、壜体の胴部下端に周設された下端周溝に係止する係止突条を突設した、熱成形された合成樹脂シート製の底トレーと組合せた、ことを加えたものである。
【００１７】
この請求項４記載の発明にあっては、所望個数の壜体を、所望する形態で縦横に隣接配列した状態で、上下両端部を連結して一まとめにしているので、そのまとまり状態がきわめて安定したものとなり、これにより集結パックによる吊り下げ取扱いを、安定して良好な状態で行うことができ、また底トレーが、一まとめにした物の一定不変の底面を形成するので、この一まとめ物同志を安定して積み重ねることができ、これにより陳列、格納を好適に行うことができる。
【００１８】
【発明の実施の形態】
以下、本発明の実施例を、図面を参照しながら説明する。
図１は、六個のキャップ付き壜体１３を、二個づつ隣接して横列配置し、上端部を集結パック１で、また下端部を底トレー８で結合して一まとめにした一まとめ物を、壜体１３の一つの横列に沿って集結パック１および底トレー８だけを縦断した正面図を示すものである。
【００１９】
図２ないし図６に示された集結パック１は、再生ポリエチレンテレフタレート樹脂等の合成樹脂材料製のシート体から、バキューム成形、圧空成形、さらには押圧成形等の熱成形手段により成形されており、所望個数の保持カバー筒部２を所望配列で配置して（図示実施例の場合、六個の保持カバー筒部２を二個づつ横列配置している）構成されている。
【００２０】
この集結パック１は、内周面下端開口縁に、三つに分断した係止条３を突設した有頂円筒形状の六個の保持カバー筒部２を、連結壁部４により前記した配列で連結し、この連結壁部４の各保持カバー筒部２の周辺部、さらに中央部には、補強リブとして機能する補強凹凸５が屈曲成形されている。
【００２１】
各保持カバー筒部２は、壜体１３に取付けられるキャップ１８が、略隙間なく挿入組付けされる内径寸法を有し、キャップ１８を組付けた壜体１３の口筒部に被嵌状に組付いた状態で、頂壁下面にキャップ１８の頂面が当接し、係止条３が壜体１３の口筒部の外周面下端部に外鍔状に周設されたネックリング１５に、乗り越えて下方から係止する高さ（図１参照）となっている。
【００２２】
それゆえ、壜体１３に組付いたキャップ１８に、保持カバー筒部２を覆い被せるように集結パック１を上方から押し下げると、キャップ１８が保持カバー筒部２の頂壁に突き当たったところで、係止条３がネックリング１５に乗り越えて下方から係止し、壜体１３の集結パック１に対する揺動変位不能な組付きが達成される。
【００２３】
このように、壜体１３の集結パック１に対する組付きは、キャップ１８全体が保持カバー筒部２に揺動変位不能に抱え込まれた状態で達成されるので、きわめて安定して強力なものとなり、壜体１３の集結パック１から離脱は、壜体１３を外方に強引に傾動変位させ、この変位により保持カバー筒部２の開口部を強引に拡径方向に変形させることにより達成する。
【００２４】
また、集結パック１の壜体１３保持力を、きわめて強力にすることができることと、集結パック１からの壜体１３の離脱には、保持カバー筒部２の開口部を強引に拡径方向に変形させることが必要であることから、集結パック１を成形する合成樹脂製シートは、従来の場合に比べて、薄くすることが望ましい。
【００２５】
そして、集結パック１は、その保持カバー筒部２でキャップ１８を組付けた壜体１３の口筒部全体を完全に覆うので、この部分に埃とか汚れが付着するのを防止することができる。
【００２６】
この集結パック１には、連結壁部４の周縁部分に、切り込み線７により把手片６を引き起し可能に形成しており、この把手片６の基端は、横列方向に沿って、中央の保持カバー筒部２と両隣の保持カバー筒部２との中間位置に対応して位置している。
【００２７】
図１ないし図４に示した実施例の場合、把手片６は、集結パック１の長手辺方向の両側端縁部に矩形状に成形されているのに対し、図５および図６に示した実施例の場合は、集結パック１の長手辺方向の中央部に、中央の保持カバー筒部２を三方から囲む形態で成形されている。
【００２８】
図７ないし図９は、図１に示した実施例に使用されている底トレー８の詳細構造を示すもので、底トレー８は、集結パック１と同様に、再生ポリエチレンテレフタレート樹脂等の合成樹脂材料製のシート体から熱成形されたものであり、壜体１３の円筒状の胴部１４の下端に連設された底部１６を、ガタツクことなく嵌め込む六つの嵌め込み凹部９を、集結パック１の保持カバー筒部２と同じ配列で配置形成し、この各嵌め込み凹部９の周壁１０の内周面の上端部に、壜体１３の胴部１４と底部１６との境界部に周設された下端周溝１７に、嵌まり込み係止する係止突条１１を突出させて構成されている。
【００２９】
なお、四つの嵌め込み凹部９に囲まれた状態で、立ち上がり状態で設けられた支え凸部１２（図７および図９参照）は、底トレー８の構造的補強と、嵌め込み凹部９に対する壜体１３の嵌まり込み状態を安定させるためのものである。
【００３０】
【発明の効果】
本発明は、上記した構成となっているので、以下に示す効果を奏する。
請求項１にあっては、集結パックに対する壜体の挿入組付きを係止保持する係止条が、シート体をきわめて小さい曲率半径で突出湾曲させて成形されたものであるので、きわめて機械的強度の高いものとなって、大きな剛性を発揮し得るものとなるので、集結パックに対する壜体の妄りな抜け出しの発生しない組付き状態を、安定して確実に維持する。
【００３１】
また、壜体は、少なくとも取付けたキャップの全体を、集結パックの保持カバー筒部内に揺動変位不能に嵌入させるので、係止条の壜体に対する係止形態は、変化することなく常に一定してしており、もって係止条の壜体に対する係止は、劣化することなく、安全に保持される。
【００３２】
さらに、キャップ付き壜体の少なくともキャップ全体が、集結パックの保持カバー筒部により完全に覆われるので、埃とか汚れがキャップ付き壜体の上端部分に付着することがなく、これにより壜体を衛生的に優れた状態で、取り扱うことができる。
【００３３】
請求項２記載の発明にあっては、集結パックで結合した所望数の壜体を、一まとめ物として吊り下げ状に取り扱うことができ、またこの吊り下げ取扱い時に、外側の壜体が、その下端部を中央の壜体に近づけて、まとまりの良い状態となるので、一まとめ物の吊り下げ取扱いを安全にかつ良好に実施することができる。
【００３４】
請求項３記載の発明にあっては、集結パックに、単体で安定した状態で取り扱うことのできる程度の自己形状保持力を与えることができ、これにより整列された所望数のキャップ付き壜体に対する集結パックの組付けを、簡単にまた必要に応じて自動的に行うことが可能となる。
【００３５】
請求項４記載の発明にあっては、所望数の壜体のまとまり状態がきわめて安定したものとなり、これにより集結パックによる吊り下げ取扱いを、安定して良好な状態で行うことができ、また底トレーが、一まとめにした物の一定不変の底面を形成するので、この一まとめ物同志を安定して積み重ねることができ、これにより陳列、格納を好適に行うことができる。
【図面の簡単な説明】
【図１】本発明の一実施例を示す、壜体に組付いた状態での縦断正面図。
【図２】集結パックの図１に示した実施例の、全体底面図。
【図３】図２に示した実施例の、全体正面図。
【図４】図２に示した実施例の、中央で切断した全体縦断正面図。
【図５】集結パックの他の実施例を示す、全体底面図。
【図６】図５に示した実施例の、全体正面図。
【図７】底トレーの図１に示した実施例の、全体平面図。
【図８】図７に示した実施例の、全体正面図。
【図９】図７に示した実施例の、中央で切断した全体縦断正面図。
【符号の説明】
１  ；  集結パック
２  ；  保持カバー筒部
３  ；  係止条
４  ；  連結壁部
５  ；  補強凹凸
６  ；  把手片
７  ；  切り込み線
８  ；  底トレー
９  ；  嵌め込み凹部
１０；  周壁
１１；  係止突条
１２；  支え凸部
１３；  壜体
１４；  胴部
１５；  ネックリング
１６；  底部
１７；  下端周溝
１８；  キャップ
【図１】
0003868173.tif 000002
【図２】
0003868173.tif 000003
【図３】
0003868173.tif 000004
【図４】
0003868173.tif 000005
【図５】
0003868173.tif 000006
【図６】
0003868173.tif 000007
【図７】
0003868173.tif 000008
【図８】
0003868173.tif 000009
【図９】
0003868173.tif 000010